(57)【要約】【課題】へび玉と発煙花火とを組み合わせることにより使用上の面白さを向上させた玩具花火を提供する。【解決手段】へび玉（１）と発煙花火（３）とを、該へび玉と発煙花火とのいずれか一方が燃焼したときには他方も燃焼するように、組み合わせてなることを特徴とする玩具花火。保持体（５）に凹部（７）を形成し、該凹部内に発煙花火を収納し、該発煙花火上にへび玉を該発煙花火と接触させた状態で配設し、該へび玉に導火線（９）を取り付けたことを特徴する玩具花火。前記導火線をへび玉の上端（１ａ）に取り付け、該導火線とへび玉の上端とに該導火線と該へび玉の上端全面とを覆う紙片（１１）を糊着する。【選択図】図２
2004271055.tif 000002
【特許請求の範囲】
【請求項１】
へび玉と発煙花火とを、該へび玉と発煙花火とのいずれか一方が燃焼したときには他方も燃焼するように、組み合わせてなることを特徴とする玩具花火。
【請求項２】
保持体に凹部を形成し、該凹部内に発煙花火を収納し、該発煙花火上にへび玉を該発煙花火と接触させた状態で配設し、該へび玉に導火線を取り付けたことを特徴する玩具花火。
【請求項３】
前記導火線をへび玉の上端に取り付け、該導火線とへび玉の上端とに該導火線と該へび玉の上端全面とを覆う紙片を糊着したことを特徴とする請求項２に記載の玩具花火。
【請求項４】
前記保持体を支持箱内に固定したことを特徴とする請求項２又は３に記載の玩具花火。
【発明の詳細な説明】
【０００１】
【発明の属する技術分野】
本発明は玩具花火に関するものであり、更に詳しくは、へび玉（蛇花火）と発煙花火（煙星）とを組み合わせてなる玩具花火に係るものである。
【０００２】
【従来の技術】
へび玉と発煙花火はそれぞれ従来より知られている。
【０００３】
即ち、へび玉は、燃焼時に燃え殻があたかも蛇の如く伸びるようにした玩具花火であり、例えば特開平９−５３９００号公報に記載されているように、既に知られている。
【０００４】
また、発煙花火は燃焼時に煙を発するようにした玩具花火であり、特公平１−１６８００号公報に記載されているように、既に知られている。
【０００５】
【特許文献１】
特開平９−５３９００号公報（全文）
【０００６】
【特許文献２】
特公平１−１６８００号公報（全文）
【０００７】
【発明が解決しようとする課題】
へび玉と発煙花火はそれぞれ好ましい花火ではあるが、本発明はこれらのへび玉と発煙花火とを組み合わせることにより、使用上の面白さを一層向上させた玩具花火を提供しようとしてなされたものである。
【０００８】
【課題を解決するための手段】
上記課題を解決するために、本発明は下記の玩具花火を提供する。
【０００９】
（１）へび玉と発煙花火とを、該へび玉と発煙花火とのいずれか一方が燃焼したときには他方も燃焼するように、組み合わせてなることを特徴とする玩具花火（請求項１）。
【００１０】
（２）保持体に凹部を形成し、該凹部内に発煙花火を収納し、該発煙花火上にへび玉を該発煙花火と接触させた状態で配設し、該へび玉に導火線を取り付けたことを特徴する玩具花火（請求項２）。
【００１１】
（３）前記導火線をへび玉の上端に取り付け、該導火線とへび玉の上端とに該導火線と該へび玉の上端全面とを覆う紙片を糊着する（請求項３）。
【００１２】
（４）前記保持体を支持箱内に固定する（請求項４）。
【００１３】
【作用】
［請求項１の発明］
へび玉と発煙花火とのいずれか一方に点火し、これを燃焼させれば、他方も燃焼する。従って、発煙花火が発する煙幕の中で、へび玉による蛇の如き燃え殻がニョキニョキ伸びる。
【００１４】
［請求項２の発明］
導火線に点火したときには、へび玉が燃焼を開始してへび玉による蛇の如き燃え殻が伸びると共に、発煙花火も燃焼を開始して煙幕を形成する。従って、煙幕の中で蛇の如きものがニョキニョキ伸びる。
【００１５】
［請求項３の発明］
導火線は紙片を介してへび玉の上端全面に均等に着火させるため、へび玉が出す蛇の如き燃え殻は太くて大きなものとなる。
【００１６】
［請求項４の発明］
保持体は支持箱内に固定されるため、該保持体は玩具花火の使用時に地上に置いたときに安定する。
【００１７】
【発明の実施の形態】
次に、本発明の実施の形態を添付図面に従って説明する。
符号１に示すものはへび玉であり、符号３に示すものは発煙花火である。へび玉１と発煙花火３とを、該へび玉１と発煙花火３とのいずれか一方が燃焼したときには他方も燃焼するように、組み合わせる。
【００１８】
即ち、図示の事例においては、へび玉１と発煙花火３とを相互に接触させた状態で組み合わせている。また、へび玉１と発煙花火３とを導火線その他の可燃物を介して相互に連結しても差し支えない。
【００１９】
へび玉１は、一例として、石炭ピッチを硝酸で処理し、これに酸化剤を加え、円柱状に圧搾成型してなるものである。
【００２０】
へび玉１の組成は、一例として下記の通りである。
硝化ピッチ：８５重量部
過塩素酸アンモニウム：９重量部
硝酸カリウム：６重量部
【００２１】
発煙花火３は、一例として、過塩素酸カリウム約２０重量部と、硫黄約５重量部と、メラミン約３０重量部と、砂約３５重量部と、オイル染料約８重量部と、糊剤約２重量部とよりなる発煙薬に適量の水を加えて混練した後、円柱状に固めてなるものである。
【００２２】
符号５に示すものは保持体である。保持体５には凹部７を形成する。
【００２３】
保持体５は、形状の如何を問うものではないが、一例として、木粉をでんぷんのりで球状に固め、発煙花火３とへび玉１とを収納するための凹部７を形成してなるものである。
【００２４】
保持体５の凹部７内に発煙花火３を収納し、該発煙花火３上にへび玉１を該発煙花火３と接触させた状態で配設し、該へび玉１に導火線９を取り付ける。
【００２５】
前記導火線９はへび玉１の上端１ａに取り付け、該導火線９とへび玉１の上端１ａとに該導火線９と該へび玉１の上端１ａ全面とを覆う紙片１１を糊着する。紙片１１は一例として和紙片とする。
【００２６】
図３に示す事例においては、保持体５を支持箱１３内に固定している。符号１５に示すものは支持箱１３から除去された支持箱１３の蓋である。支持箱１３は玩具花火の使用時には上端を開口させることが必要であるが、支持箱１３の上端を開口させるに当たっては、蓋１５は必ずしも支持箱１３から除去する必要はない。支持箱１３の上端を外方に折り曲げることにより、支持箱１３の上端を開口させるようにしても差し支えない。なお、支持箱１３はその形状の如何を問わない。
【００２７】
【発明の効果】
［請求項１の発明］
へび玉と発煙花火とのいずれか一方に点火し、これを燃焼させれば、他方も燃焼するため、発煙花火が発する煙幕の中で、へび玉による蛇の如き燃え殻がニョキニョキ伸びる。従って、請求項１の発明による玩具花火は使用上極めて面白いものである。
【００２８】
［請求項２の発明］
導火線に点火したときには、へび玉が燃焼を開始してへび玉による蛇の如き燃え殻が伸びると共に、発煙花火も燃焼を開始して煙幕を形成する。即ち、煙幕の中で蛇の如きものがニョキニョキ伸びる。従って、請求項２の発明による玩具花火も、前記請求項１の玩具花火と同様に、使用上極めて面白いものである。
【００２９】
［請求項３の発明］
導火線は紙片を介してへび玉の上端全面に均等に着火させるため、へび玉が出す蛇の如き燃え殻は太くて大きなものとなる。
【００３０】
［請求項４の発明］
保持体は支持箱内に固定されるため、該保持体は玩具花火の使用時に地上に置いたときに安定する。
【図面の簡単な説明】
【図１】本発明による玩具花火の一例を示す斜視図である。
【図２】同上玩具花火の断面図である。
【図３】本発明による玩具花火の別の一例を示す断面図である。
【符号の説明】
１  へび玉
１ａ  上端
３  発煙花火
５  保持体
７  凹部
９  導火線
１１  紙片
１３  支持箱
１５  蓋
【図１】
2004271055.tif 000003
【図２】
2004271055.tif 000004
【図３】
2004271055.tif 000005